(57)【要約】ユーザ装置（ＵＥ）が特定のネットワークによるカバレッジ内にあることのインジケーションを提供することに関するワイヤレス通信システムおよび方法が提供される。第１のワイヤレス通信デバイスによって、第２のネットワークに関連する第２のデバイスから、第１のワイヤレス通信デバイスが第１のネットワークによるカバレッジ内にあるかどうかに関する情報を取得するワイヤレス通信の例示的な方法。第１のワイヤレス通信デバイスは、第１のネットワークおよび第２のネットワークとのデュアル接続性をサポートする。方法はまた、情報に少なくとも部分的に基づいて、第１のワイヤレス通信デバイスが第１のネットワークに接続されていることを示すアイコンを表示するかどうか決定することを含む。方法はさらに、アイコンを表示するという決定に応答して、第１のワイヤレス通信デバイスによって、第１のワイヤレス通信デバイスに結合されたディスプレイ上にアイコンを表示することを含む。【選択図】図４
2020521379.tif 000002
【特許請求の範囲】
【請求項１】
ワイヤレス通信の方法であって、
第１のワイヤレス通信デバイスによって、第２のネットワークに関連する第２のデバイスから、前記第１のワイヤレス通信デバイスが第１のネットワークによるカバレッジ内にあるかどうかに関する情報を取得することと、前記第１のワイヤレス通信デバイスは、前記第１のネットワークおよび前記第２のネットワークとのデュアル接続性をサポートする、
前記情報に少なくとも部分的に基づいて、前記第１のワイヤレス通信デバイスが前記第１のネットワークに接続されていることを示すアイコンを表示するかどうか決定することと、
前記アイコンを表示するという決定に応答して、前記第１のワイヤレス通信デバイスによって、前記第１のワイヤレス通信デバイスに結合されたディスプレイ上に前記アイコンを表示することと、
を備える、方法。
【請求項２】
前記第１のワイヤレス通信デバイスが、前記第１のネットワークへの前記第１のワイヤレス通信デバイスの前記接続性をサポートするために前記第２のネットワークを利用する非スタンドアロンモードをサポートする、請求項１に記載の方法。
【請求項３】
前記第１のネットワークが５Ｇネットワークを含み、前記第２のネットワークが４Ｇネットワークを含む、請求項１に記載の方法。
【請求項４】
前記第２のネットワークがＬＴＥネットワークを含む、請求項１に記載の方法。
【請求項５】
前記アイコンが、前記第１のネットワークに関連するモバイルネットワーク信号強度インジケータを含む、請求項１に記載の方法。
【請求項６】
前記第２のデバイスが、前記第２のネットワークをサポートするセルを含む、請求項１に記載の方法。
【請求項７】
前記第１のネットワークが、新無線（ＮＲ）セルに関連する、請求項１に記載の方法。
【請求項８】
前記情報を取得することが、前記第１のワイヤレス通信デバイスが前記第１のネットワークによるカバレッジ内にあるかどうかのインジケーションを有するシステム情報ブロック（ＳＩＢ）を受信することを含み、前記第２のデバイスが前記ＳＩＢをブロードキャストする、請求項１に記載の方法。
【請求項９】
前記情報を取得することが、前記第２のデバイスから周波数リストを受信することを含み、前記周波数リストが、前記第１のネットワークが動作する１つまたは複数の周波数を含む、請求項１に記載の方法。
【請求項１０】
ＳＩＢが前記周波数リストを含む、請求項９に記載の方法。
【請求項１１】
前記第２のデバイスが前記周波数リストをブロードキャストする、請求項９に記載の方法。
【請求項１２】
前記周波数リスト中にリストされた１つまたは複数の周波数について、
前記第１のワイヤレス通信デバイスによって、第３のワイヤレス通信デバイスから、前記それぞれの周波数に関連するＮＲ−ＰＳＳ（プライマリ信号強度）およびＮＲ−ＳＳＳ（セカンダリ信号強度）を含む同期信号（ＳＳ）ブロックを受信すること、前記第３のワイヤレス通信デバイスが、前記第１のネットワークをサポートするセルを含む、と、
前記ＮＲ−ＰＳＳおよび前記ＮＲ−ＳＳＳの信号強度を測定することと、
前記信号強度がしきい値を満たすかどうか決定することと、
前記信号強度が前記しきい値を満たすという決定に応答して、前記アイコンを表示することを決定することと、
前記信号強度が前記しきい値を満たさないという決定に応答して、前記アイコンを表示しないことを決定することと、
をさらに備える、請求項９に記載の方法。
【請求項１３】
前記周波数リスト中にリストされた１つまたは複数の周波数について、
前記第１のワイヤレス通信デバイスによって、第３のワイヤレス通信デバイスから、前記それぞれの周波数に関連するＮＲ−ＰＢＣＨ（物理ブロードキャストチャネル）を含むＳＳブロックを受信すること、前記第３のワイヤレス通信デバイスが、前記第１のネットワークをサポートするセルを含む、と、
前記ＮＲ−ＰＢＣＨに関連する周波数チャネルのＮＲバンド幅およびシステムフレーム番号情報を決定することと、
前記第１のワイヤレス通信デバイスが前記第１のネットワークによるカバレッジ内にあるかどうか決定するために、前記システムフレーム番号情報および前記ＮＲバンド幅に基づいて、ＣＳＩ−ＲＳ（チャネル状態情報基準信号）を測定することと、
をさらに備える、請求項９に記載の方法。
【請求項１４】
前記情報を取得することが、前記第２のデバイスによって構成される測定対象であり、前記第１のネットワークが動作する周波数であって且つ周波数チャネルのバンド幅を提供する周波数を指定する周波数リストを含む測定対象を、受信することを含み、前記方法がさらに、
前記第１のワイヤレス通信デバイスによって、前記測定対象に従った前記１つまたは複数の周波数を探索することと、
前記第１のワイヤレス通信デバイスが前記第１のネットワークによるカバレッジ内にあるかどうか決定するために前記１つまたは複数の周波数を測定することと、
を備える、請求項１に記載の方法。
【請求項１５】
前記測定対象がＮＲ測定対象であり、前記周波数リストが前記ＮＲネットワークが動作するＮＲ周波数を指定する、請求項１４に記載の方法。
【請求項１６】
前記情報を取得することが、前記情報を記憶する取得データベースから前記情報を取り出すことを含み、前記情報が、前記第１のネットワークがそれ内で動作するＮＲ周波数を含む、請求項１に記載の方法。
【請求項１７】
前記アイコンを表示するかどうか決定することが、前記第１のワイヤレス通信デバイスによって、前記第１のワイヤレス通信デバイスが前記第１のネットワークへのサブスクリプションを有するかどうか決定することを含み、前記方法がさらに、
前記第１のワイヤレス通信デバイスが前記サブスクリプションを有しないという決定に応答して、前記ディスプレイ上で前記第１のネットワークによるカバレッジを報告しないこと、
を備える、請求項１に記載の方法。
【請求項１８】
前記第１のワイヤレス通信デバイスは、前記第１のワイヤレス通信デバイスが前記第１のネットワークへの前記サブスクリプションを有するかどうか示すユニバーサル集積回路カード（ＵＩＣＣ）を含む、請求項１７に記載の方法。
【請求項１９】
前記アイコンを表示するかどうか決定することは、前記第１のワイヤレス通信デバイスによって、前記第１のワイヤレス通信デバイスが前記第１のネットワークへの接続を制限されているかどうか決定することを含み、前記方法がさらに、
前記第１のワイヤレス通信デバイスが前記第１のネットワークへの接続を制限されているという決定に応答して、前記ディスプレイ上で前記第１のネットワークによるカバレッジを報告しないこと、
を備える、請求項１に記載の方法。
【請求項２０】
前記アイコンを表示するかどうか決定することが、前記第１のワイヤレス通信デバイスによって、前記第２のデバイスがデュアル接続性をサポートするかどうか決定することを含み、前記方法がさらに、
前記第２のデバイスがデュアル接続性をサポートしないという決定に応答して、前記ディスプレイ上で前記第１のネットワークによるカバレッジを報告しないこと、
を備える、請求項１に記載の方法。
【請求項２１】
前記第１のワイヤレス通信デバイスが、複数の状態のうちの最大でも１つの状態にあり、前記第１のワイヤレス通信デバイスが、前記第１のおよび第２のネットワークに同時に接続されている場合、前記第１のワイヤレス通信デバイスは第１の接続モードにあり、前記第１のワイヤレス通信デバイスが前記第２のネットワークに接続されているが前記第１のネットワークには接続されていない場合、前記第１のワイヤレス通信デバイスは第２の接続モードにあり、前記第１のワイヤレス通信デバイスがアイドルである場合、前記第１のワイヤレス通信デバイスは、前記第２のネットワークに接続されているが前記第１のネットワークには接続されていないアイドルモードにある、請求項１に記載の方法。
【請求項２２】
前記アイコンを表示するかどうか決定することは、前記第１のワイヤレス通信デバイスによって、前記第１のワイヤレス通信デバイスが前記第１のまたは第２の接続モードにある間に、前記第２のネットワークが無線リンク障害（ＲＬＦ）を含むかどうか決定することを含み、前記方法がさらに、
前記第１のワイヤレス通信デバイスが前記第１のまたは第２の接続モードにある間に前記第２のネットワークが前記ＲＬＦを含むという決定に応答して、前記ディスプレイ上で前記第１のネットワークによるカバレッジを報告しないこと、
を備える、請求項２１に記載の方法。
【請求項２３】
前記アイコンを表示するかどうか決定することが、前記第１のワイヤレス通信デバイスによって、前記第１のワイヤレス通信デバイスが前記アイドルモードにある間、前記第２のネットワークがアウトオブサービス（ＯＯＳ）かどうか検出することを含み、前記方法がさらに、
前記第１のワイヤレス通信デバイスが前記アイドルモードにある間、前記第２のネットワークがＯＯＳであることを検出することに応答して、前記ディスプレイ上で前記第１のネットワークによるカバレッジを報告しないこと、
を備える、請求項２１に記載の方法。
【請求項２４】
ワイヤレス通信のためのシステムであって、
第２のネットワークに関連する第２のデバイスから、第１のワイヤレス通信デバイスが第１のネットワークによるカバレッジ内にあるかどうかに関する情報を取得する受信機と、ここにおいて、前記第１のワイヤレス通信デバイスは、前記第１のネットワークおよび前記第２のネットワークとのデュアル接続性をサポートする、
前記情報に少なくとも部分的に基づいて、前記第１のワイヤレス通信デバイスが前記第１のネットワークに接続されていることを示すアイコンを表示するかどうか決定するユーザインタフェース（ＵＩ）と、ここにおいて、前記アイコンを表示するという決定に応答して、前記ＵＩは、前記第１のワイヤレス通信デバイスに結合されたディスプレイ上に前記アイコンを表示する、
を備える、システム。
【請求項２５】
前記第１のネットワークが５Ｇネットワークを含む、請求項２４に記載のシステム。
【請求項２６】
前記第２のネットワークが４Ｇネットワークを含む、請求項２４に記載のシステム。
【請求項２７】
前記第２のネットワークがＬＴＥネットワークを含む、請求項２４に記載のシステム。
【請求項２８】
前記第２のデバイスが、前記第２のネットワークをサポートするＬＴＥセルを含む、請求項２４に記載のシステム。
【請求項２９】
ワイヤレス通信のための装置であって、
第１のワイヤレス通信デバイスによって、第２のネットワークに関連する第２のデバイスから、前記第１のワイヤレス通信デバイスが第１のネットワークによるカバレッジ内にあるかどうかに関する情報を取得するための手段と、前記第１のワイヤレス通信デバイスは、前記第１のネットワークおよび前記第２のネットワークとのデュアル接続性をサポートする、
前記情報に少なくとも部分的に基づいて、前記第１のワイヤレス通信デバイスが前記第１のネットワークに接続されていることを示すアイコンを表示するかどうか決定するための手段と、
前記アイコンを表示するという決定に応答して、前記第１のワイヤレス通信デバイスによって、前記第１のワイヤレス通信デバイスに結合されたディスプレイ上に前記アイコンを表示するための手段と、
を備える、装置。
【請求項３０】
プログラムコードを記録したコンピュータ読み取り可能な媒体であって、前記プログラムコードが、
第１のワイヤレス通信デバイスによって、第２のネットワークに関連する第２のデバイスから、前記第１のワイヤレス通信デバイスが第１のネットワークによるカバレッジ内にあるかどうかに関する情報を取得するためのコードと、前記第１のワイヤレス通信デバイスは、前記第１のネットワークおよび前記第２のネットワークとのデュアル接続性をサポートする、
前記情報に少なくとも部分的に基づいて、前記第１のワイヤレス通信デバイスが前記第１のネットワークに接続されていることを示すアイコンを表示するかどうか決定するためのコードと、
前記アイコンを表示するという決定に応答して、前記第１のワイヤレス通信デバイスによって、前記第１のワイヤレス通信デバイスに結合されたディスプレイ上に前記アイコンを表示するためのコードと、
を備える、コンピュータ読み取り可能な媒体。
【発明の詳細な説明】
【技術分野】
【０００１】
［関連出願の相互参照および優先権の主張］
[0001]  本出願は、２０１７年５月１９日に出願された米国仮特許出願第６２／５０８，８３４号、２０１７年６月７日に出願された第６２／５１６，５３７号、および２０１７年６月１５日に出願された第６２／５２０，３５０号に対する優先権およびその利益を主張し、それらはこれにより全体が参照によって組み込まれる。
【０００２】
［技術分野］
[0002]  本出願は、ワイヤレス通信システムに関し、より具体的には、ユーザ装置（ＵＥ）が新無線（ＮＲ）ネットワークに接続し得ることのインジケーションをユーザに提供することに関する。
【背景技術】
【０００３】
［イントロダクション］
[0003]  ワイヤレス通信システムは、音声、ビデオ、パケットデータ、メッセージング、ブロードキャスト等のような、様々なタイプの通信コンテンツを提供するために広く展開されている。これらのシステムは、利用可能なシステムリソース（例えば、時間、周波数、および電力）を共有することによって、複数のユーザとの通信をサポートすることが可能であり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（例えば、ロングタームエボリューション（ＬＴＥ（登録商標））システム）を含む。ワイヤレス多元接続通信システムは、いくつかの基地局（ＢＳ）を含み得、それらの各々は、別名ユーザ装置（ＵＥ）として知られ得る複数の通信デバイスのための通信を同時にサポートする。
【０００４】
[0004]  拡張された接続性のための増大する需要を満たすために、ワイヤレス通信技術またはＲＡＴは、ＬＴＥ技術から次世代の新無線（ＮＲ）技術へと進歩している。例えば、ＮＲは、より低いレイテンシおよびより高いバンド幅またはスループットそしてＬＴＥを提供し得る。改善されたＮＲ機能性を提供するための１つのアプローチは、ＬＴＥネットワーク内でＮＲネットワークを展開することである。言い換えれば、ＮＲネットワークは、オーバーラップしているカバレッジエリアを伴ってＬＴＥネットワークの上にオーバーレイされ得、ここでＮＲネットワークおよびＬＴＥネットワークは、オーバーラップしているスペクトル上で動作し得る。したがって、ＬＴＥとＮＲとの間の共存および効率的なリソース利用は重要であり得る。
【発明の概要】
【０００５】
［いくつかの例の簡単な概要］
[0005]  説明される技術の基本的な理解を提供するために本開示のいくつかの態様の概要を以下に記す。この概要は、本開示の考慮されるすべての特徴の広範な概観ではなく、そして本開示のすべての態様の主要または重要な要素を特定するようにも、本開示の任意またはすべての態様の範囲を詳細に叙述するようにも、意図されていない。その唯一の目的は、後に提示されるより詳細な説明への前置きとして、本開示の１つまたは複数の態様のいくつか概念を概要の形式で提示することである。
【０００６】
[0006]  例えば、本開示の一態様では、ワイヤレス通信の方法は、第１のワイヤレス通信デバイスによって、第２のネットワークに関連する第２のデバイスから、第１のワイヤレス通信デバイスが第１のネットワークによるカバレッジ内にあるかどうかに関する情報を取得することを含む。第１のワイヤレス通信デバイスは、第１のネットワークおよび第２のネットワークとのデュアル接続性をサポートする。方法はまた、情報に少なくとも部分的に基づいて、第１のワイヤレス通信デバイスが第１のネットワークに接続されていることを示すアイコンを表示するかどうか決定することを含む。方法はさらに、アイコンを表示するという決定に応答して、第１のワイヤレス通信デバイスによって、第１のワイヤレス通信デバイスに結合されたディスプレイ上にアイコンを表示することを含む。
【０００７】
[0007]  本開示の追加的な態様では、ワイヤレス通信のためのシステムは、第２のネットワークに関連する第２のデバイスから、第１のワイヤレス通信デバイスが第１のネットワークによるカバレッジ内にあるかどうかに関する情報を取得する受信機を含む。第１のワイヤレス通信デバイスは、第１のネットワークおよび第２のネットワークとのデュアル接続性をサポートする。システムはまた、情報に少なくとも部分的に基づいて、第１のワイヤレス通信デバイスが第１のネットワークに接続されていることを示すアイコンを表示するかどうか決定するユーザインタフェース（ＵＩ）を含む。アイコンを表示するという決定に応答して、ＵＩは、第１のワイヤレス通信デバイスに結合されたディスプレイ上にアイコンを表示する。
【０００８】
[0008]  本開示の追加的な態様では、ワイヤレス通信のための装置は、第１のワイヤレス通信デバイスによって、第２のネットワークに関連する第２のデバイスから、第１のワイヤレス通信デバイスが第１のネットワークによるカバレッジ内にあるかどうかに関する情報を取得するための手段を含む。第１のワイヤレス通信デバイスは、第１のネットワークおよび第２のネットワークとのデュアル接続性をサポートする。装置はまた、情報に少なくとも部分的に基づいて、第１のワイヤレス通信デバイスが第１のネットワークに接続されていることを示すアイコンを表示するかどうか決定するための手段を含む。装置はさらに、アイコンを表示するという決定に応答して、第１のワイヤレス通信デバイスによって、第１のワイヤレス通信デバイスに結合されたディスプレイ上にアイコンを表示するための手段を含む。
【０００９】
[0009]  本開示の追加的な態様では、プログラムコードを記録したコンピュータ読み取り可能な媒体は、第１のワイヤレス通信デバイスによって、第２のネットワークに関連する第２のデバイスから、第１のワイヤレス通信デバイスが第１のネットワークによるカバレッジ内にあるかどうかに関する情報を取得するためのコードを含む。第１のワイヤレス通信デバイスは、第１のネットワークおよび第２のネットワークとのデュアル接続性をサポートする。プログラムコードはさらに、情報に少なくとも部分的に基づいて、第１のワイヤレス通信デバイスが第１のネットワークに接続されていることを示すアイコンを表示するかどうか決定するためのコードを含む。プログラムコードはまた、アイコンを表示するという決定に応答して、第１のワイヤレス通信デバイスによって、第１のワイヤレス通信デバイスに結合されたディスプレイ上にアイコンを表示するためのコードを含む。
【００１０】
[0010]  本発明の他の態様、特徴、および実施形態は、添付の図面と併せて、本発明の特定の例示的な実施形態の以下の説明を検討すると、当業者に明らかとなるであろう。本発明の特徴は、ある特定の実施形態および図に関連して以下で説明され得るが、本発明のすべての実施形態は、ここで説明される有利な特徴のうちの１つまたは複数を含むことができる。言い換えれば、１つまたは複数の実施形態が、ある特定の有利な特徴を有するものとして説明され得るが、そのような特徴のうちの１つまたは複数はまた、ここで説明される本発明の様々な実施形態に従って使用され得る。同様に、例示的な実施形態は、デバイス、システム、または方法の実施形態として以下で説明され得るが、そのような例示的な実施形態は、様々なデバイス、システム、および方法でインプリメントされることができることは理解されるべきである。
【図面の簡単な説明】
【００１１】
【図１】[0011]  図１は、本開示の実施形態によるワイヤレス通信ネットワークを例示する。
【図２】[0012]  図２は、本開示の実施形態によるネットワークシステムを例示する。
【図３】[0013]  図３は、本開示の実施形態による例示的なユーザ装置（ＵＥ）のブロック図である。
【図４】[0014]  図４は、本開示の実施形態によるコールフローを例示する。
【図５】[0015]  図５は、本開示の実施形態によるコールフローを例示する。
【図６】[0016]  図６は、本開示の実施形態による高速デュアル接続性セットアップのためのコールフローを例示する。
【図７】[0017]  図７は、本開示の実施形態によるコールフローを例示する。
【図８】[0018]  図８は、本開示の実施形態によるコールフローを例示する。
【図９】[0019]  図９は、本開示の実施形態によるコールフローを例示する。
【図１０】[0020]  図１０は、本開示の実施形態によるコールフローを例示する。
【図１１】[0021]  図１１は、本開示の実施形態による例示的な基地局（ＢＳ）のブロック図である。
【図１２】[0022]  図１２は、本開示の実施形態による、ネットワークシステムにおけるワイヤレス通信の方法のフローダイアグラムである。
【詳細な説明】
【００１２】
[0023]  添付図面に関連して以下に記載される詳細な説明は、様々な構成の説明として意図されており、ここに説明される概念が実施され得るのはこれらの構成のみにおいてであることを表すようには意図されていない。詳細な説明は、様々な概念の徹底した理解を提供することを目的として特定の詳細を含む。しかしながら、これらの概念がこれらの特定の詳細なしに実施され得ることは、当業者に明らかであろう。いくつかの事例では、そのような概念を曖昧にすることを避けるために、周知の構造およびコンポーネントは、ブロック図の形式で示される。
【００１３】
[0024]  ここに説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一キャリアＦＤＭＡ（ＳＣ−ＦＤＭＡ）および他のネットワーク等の様々なワイヤレス通信ネットワークのために使用され得る。「ネットワーク」および「システム」という用語は、しばしば交換可能に使用される。ＣＤＭＡネットワークは、ユニバーサル地上波無線アクセス（ＵＴＲＡ）、ｃｄｍａ２０００等のような無線技術をインプリメントし得る。ＵＴＲＡは、ワイドバンドＣＤＭＡ（ＷＣＤＭＡ（登録商標））およびＣＤＭＡの他の変形を含む。ｃｄｍａ２０００は、ＩＳ−２０００、ＩＳ−９５、およびＩＳ−８５６規格をカバーする。ＴＤＭＡネットワークは、移動通信のためのグローバルシステム（ＧＳＭ（登録商標）：Global System for Mobile Communications）のような無線技術をインプリメントし得る。ＯＦＤＭＡネットワークは、発展型ＵＴＲＡ（Ｅ−ＵＴＲＡ）、ウルトラモバイルブロードバンド（ＵＭＢ）、ＩＥＥＥ  ８０２．１１（Ｗｉ−Ｆｉ）、ＩＥＥＥ８０２．１６（ＷｉＭＡＸ）、ＩＥＥＥ８０２．２０、フラッシュＯＦＤＭ等のような無線技術をインプリメントし得る。ＵＴＲＡおよびＥ−ＵＴＲＡは、ユニバーサルモバイル電気通信システム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と名付けられた組織からの文書に説明されている。ｃｄｍａ２０００およびＵＭＢは、「第３世代パートナーシッププロジェクト２」（３ＧＰＰ２）と名付けられた組織からの文書に説明されている。ここに説明される技法は、上述されたワイヤレスネットワークおよび無線技術、ならびに他のワイヤレスネットワークおよび無線技術、例えば、次世代（例えば、ミリ波バンドで動作する第５世代（５Ｇ））ネットワークのために使用され得る。
【００１４】
[0025]  本出願は、ユーザ要件（ＵＥ）が新無線（ＮＲ）ネットワークに接続されていることのインジケーションをユーザに提供するためのメカニズムを説明する。図１は、本開示の実施形態によるワイヤレス通信ネットワーク１００を例示する。ネットワーク１００は、ＢＳ１０５、ＵＥ１１５、およびコアネットワーク１３０を含む。いくつかの実施形態では、ネットワーク１００は、共有スペクトル上で動作する。共有スペクトルは、１つまたは複数のネットワークオペレータに対して部分的にライセンスされているかまたはライセンスされていない可能性がある。スペクトルへのアクセスは限定され得、別々の調整エンティティ（a separate coordination entity）によって制御され得る。いくつかの実施形態では、ネットワーク１００は、ＬＴＥまたはＬＴＥ−Ａネットワークであり得る。さらに他の実施形態では、ネットワーク１００は、ミリ波（ｍｍＷ）ネットワーク、新無線（ＮＲ）ネットワーク、５Ｇネットワーク、または任意の他のＬＴＥの後継ネットワークであり得る。ネットワーク１００は、１つより多くのネットワークオペレータによって動作され得る。ワイヤレスリソースは、ネットワーク１００上でのネットワークオペレータ間の調整された通信のために複数の異なるネットワークオペレータの間で区分および調停（arbitrated）され得る。
【００１５】
[0026]  ＢＳ１０５は、１つまたは複数のＢＳアンテナを介してＵＥ１１５とワイヤレスに通信し得る。各ＢＳ１０５は、それぞれの地理的なカバレッジエリア１１０に通信カバレッジを提供し得る。３ＧＰＰでは、「セル」とう用語は、この用語が使用される文脈に応じて、ＢＳのこの特定の地理的なカバレッジエリアおよび／またはカバレッジエリアにサービス提供しているＢＳサブシステムを指すことができる。この点について、ＢＳ１０５は、マクロセル、ピコセル、フェムトセル、および／または他のタイプのセルに通信カバレッジを提供し得る。マクロセルは一般に、比較的広い地理的エリア（例えば、半径数キロメートル）をカバーし、ネットワークプロバイダにサービス加入しているＵＥによる無制限のアクセスを可能にし得る。ピコセルは一般に、比較的より狭い地理的エリアをカバーし得、ネットワークプロバイダにサービス加入しているＵＥによる無制限のアクセスを可能にし得る。フェムトセルもまた一般に、比較的狭い地理的エリア（例えば、住宅）をカバーし得、無制限のアクセスに加えて、このフェムトセルと関連のあるＵＥ（例えば、クローズド加入者グループ（ＣＳＧ：closed subscriber group）内のＵＥ、住宅の中にいるユーザに関するＵＥ等）による制限付きのアクセスも提供し得る。マクロセルのためのＢＳは、マクロＢＳと呼ばれ得る。ピコセルのためのＢＳは、ピコＢＳと呼ばれ得る。フェムトセルのためのＢＳは、フェムトＢＳまたはホームＢＳと呼ばれ得る。図１に示される例では、ＢＳ１０５ａ、１０５ｂ、および１０５ｃは、それぞれカバレッジエリア１１０ａ、１１０ｂ、および１１０ｃのためのマクロＢＳの例である。ＢＳ１０５ｄは、カバレッジエリア１１０ｄのためのフェムトＢＳまたはピコＢＳの例である。認識されることになるように、ＢＳ１０５は、１つのまたは複数（例えば、２つ、３つ、４つ等）のセルをサポートし得る。
【００１６】
[0027]  ネットワーク１００に示される通信リンク１２５は、ＵＥ１１５からＢＳ１０５へのアップリンク（ＵＬ）送信、またはＢＳ１０５からＵＥ１１５へのダウンリンク（ＤＬ）送信を含み得る。ＵＥ１１５は、ネットワーク１００全体に分散され得、各ＵＥ１１５は、固定式またはモバイルであり得る。ＵＥ１１５はまた、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の好適な用語でも呼ばれ得る。ＵＥ１１５はまた、セルラフォン、携帯情報端末（ＰＤＡ）、ワイヤレスモデム、ワイヤレス通信デバイス、ハンドヘルドデバイス、タブレットコンピュータ、ラップトップコンピュータ、コードレス電話、パーソナル電子デバイス、ハンドヘルドデバイス、パーソナルコンピュータ、ワイヤレスローカルループ（ＷＬＬ）局、インターネットオブシングス（ＩｏＴ）デバイス、インターネットオブエブリシング（ＩｏＥ）デバイス、マシンタイプ通信（ＭＴＣ）デバイス、電化製品、自動車、または同様のものであり得る。
【００１７】
[0028]  ＢＳ１０５は、コアネットワーク１３０と通信し得る、および互いに通信し得る。コアネットワーク１３０は、ユーザ認証、アクセス許可、トラッキング、インターネットプロトコル（ＩＰ）接続性、および他のアクセス、ルーティング、またはモビリティ機能を提供し得る。（例えば、発展型ノードＢ（ｅＮＢ）、次世代ノードＢ（ｇＮＢ）またはアクセスノードコントローラ（ＡＮＣ）の例であり得る）ＢＳ１０５のうちの少なくともいくつかは、バックホールリンク１３２（例えば、Ｓ１、Ｓ２等）を通してコアネットワーク１３０とインタフェースし得、ＵＥ１１５との通信のためのスケジューリングおよび無線構成を実施し得る。様々な例において、ＢＳ１０５は、ワイヤードまたはワイヤレス通信リンクであり得るバックホールリンク１３４（例えば、Ｘ１、Ｘ２等）上で互いに（例えば、コアネットワーク１３０を通して）直接的にまたは間接的に通信し得る。
【００１８】
[0029]  各ＢＳ１０５はまた、いくつかの他のＢＳ１０５を通していくつかのＵＥ１１５と通信し得、ここでＢＳ１０５は、スマート無線ヘッドの例であり得る。代替的な構成では、各ＢＳ１０５の様々な機能は、様々なＢＳ１０５（例えば、無線ヘッドおよびアクセスネットワークコントローラ）を越えて分配され得るか、または単一のＢＳ１０５に集約され得る。
【００１９】
[0030]  いくつかのインプリメンテーションでは、ネットワーク１００は、ダウンリンク上では直交周波数分割多重（ＯＦＤＭ）を利用し、ＵＬ上では単一キャリア周波数分割多重（ＳＣ−ＦＤＭ）を利用する。ＯＦＤＭおよびＳＣ−ＦＤＭは、システムバンド幅を複数の（Ｋ個の）直交サブキャリアに区分し、それらはまた一般にトーン、ビン等とも呼ばれる。各サブキャリアは、データで変調され得る。一般に、変調シンボルは、周波数領域ではＯＦＤＭで送られ、時間領域ではＳＣ−ＦＤＭで送られる。隣接した複数のサブキャリア間の間隔（spacing）は、固定的なものであり得、サブキャリアの総数（Ｋ）は、システムバンド幅に依存し得る。システムバンド幅はまた、サブバンドに区分され得る。
【００２０】
[0031]  一実施形態では、ＢＳ１０５は、ネットワーク１００におけるＤＬおよびＵＬ送信のために（例えば、時間周波数リソースブロックの形式で）送信リソースを割り当てるまたはスケジュールすることができる。ＤＬは、ＢＳ１０５からＵＥ１１５への送信方向を指し、一方でＵＬは、ＵＥ１１５からＢＳ１０５への送信方向を指す。通信は、無線フレームの形式であることができる。無線フレームは、複数のサブフレーム、例えば、約１０個に分割され得る。各サブフレームは、複数のスロット、例えば、約２個に分割されることができる。各スロットは、ここでより詳細に説明されるように、ｍｉｎスロットにさらに分割され得る。周波数分割複信（ＦＤＤ）モードでは、同時のＵＬおよびＤＬ送信が、異なる周波数バンドで生じ得る。例えば、各サブフレームは、ＵＬ周波数バンドにおいてＵＬサブフレームを、およびＤＬ周波数バンドにおいてＤＬサブフレームを、含む。時分割複信（ＴＤＤ）モードでは、ＵＬおよびＤＬ送信は、同じ周波数バンドを使用して異なる時間期間において生じる。例えば、無線フレームにおけるサブフレームのあるサブセット（例えば、ＤＬサブフレーム）は、ＤＬ送信のために使用され得、その無線フレームにおけるサブフレームの別のサブセット（例えば、ＵＬサブフレーム）は、ＵＬ送信のために使用され得る。
【００２１】
[0032]  ＤＬサブフレームおよびＵＬサブフレームは、いくつかの領域にさらに分割されることができる。例えば、各ＤＬまたはＵＬサブフレームは、基準信号、制御情報およびデータの送信のための事前に定義された複数の領域を有し得る。基準信号は、ＢＳ１０５とＵＥ１１５との間の通信を容易にする所定の信号である。例えば、基準信号は、特定のパイロットパターンまたは構造を有することができ、ここでパイロットトーンは、動作バンド幅または周波数バンドを超えて広がり得、各々が事前に定義された時間および事前に定義された周波数に位置する。例えば、ＢＳ１０５は、ＵＥ１１５がＤＬチャネルを推定することを可能にするために、セル固有の基準信号（ＣＲＳ）および／またはチャネル状態情報基準信号（ＣＳＩ−ＲＳ）を送信し得る。同様に、ＵＥ１１５は、ＢＳ１０５がＵＬチャネルを推定することを可能にするために、サウンディング基準信号（ＳＲＳ）を送信し得る。制御情報は、リソース割り当ておよびプロトコル制御を含み得る。データは、プロトコルデータおよび／または動作データを含み得る。いくつかの実施形態では、ＢＳ１０５およびＵＥ１１５は、自己充足型サブフレーム（self-contained subframes）を使用して通信し得る。自己充足型サブフレームは、ＤＬ通信用の部分とＵＬ通信用の部分とを含み得る。自己充足型サブフレームは、ＤＬ中心またはＵＬ中心であることができる。ＤＬ中心サブフレームは、ＵＬ通信と比べてＤＬ通信についてより長い持続時間を含み得る。ＵＬ中心サブフレームは、ＤＬ通信と比べてＵＬ通信についてより長い持続時間を含み得る。
【００２２】
[0033]  一実施形態では、ネットワーク１００にアクセスすることを試みるＵＥ１１５は、ＢＳ１０５からのプライマリ同期信号（ＰＳＳ）を検出することによって、初期セル探索を実施し得る。ＰＳＳは、期間タイミングの同期を可能にし得、セクタ識別値（例えば、０、１、２等）を示し得る。ＵＥ１１５は次いで、セカンダリ同期信号（ＳＳＳ）を受信し得る。ＳＳＳは、無線フレーム同期を可能にし得、且つセル識別値を提供し得、それは、物理セルアイデンティティを識別するために、ＰＳＳ識別値と組み合わせられ得る。ＳＳＳはまた、サイクリックプリフィックス長および複信モードの検出を可能にし得る。ＰＳＳおよびＳＳＳの両方は、それぞれキャリアの中央部分に位置し得る。ＰＳＳおよびＳＳＳを受信した後に、ＵＥ１１５は、マスター情報ブロック（ＭＩＢ）を受信し得、それは物理ブロードキャストチャネル（ＰＢＣＨ）において送信され得る。ＭＩＢは、システムバンド幅情報、システムフレーム番号（ＳＦＮ）、および物理ハイブリッドＡＲＱインジケータチャネル（ＰＨＩＣＨ）構成を包含し得る。ＭＩＢを復号した後に、ＵＥ１１５は、１つまたは複数のシステム情報ブロック（ＳＩＢ）を受信し得る。例えば、ＳＩＢ１は、他のＳＩＢのためのスケジューリング情報およびセルアクセスパラメータを包含し得る。ＳＩＢ１を復号することで、ＵＥ１１５がＳＩＢ２を受信することが可能となり得る。ＳＩＢ２は、セルバーリング、ＳＲＳ、電力制御、物理アップリンク共有チャネル（ＰＵＳＣＨ）、物理アップリンク制御チャネル（ＰＵＣＣＨ）、ページング、ランダムアクセスチャネル（ＲＡＣＨ）プロシージャに関連する無線リソース構成（ＲＲＣ）構成情報を包含し得る。ＭＩＢおよび／またはＳＩＢを取得した後に、ＵＥ１１５は、ＢＳ１０５との接続を確立するために、ランダムアクセスプロシージャを実施することができる。接続を確立した後に、ＵＥ１１５およびＢＳ１０５は、通常動作ステージに入ることができ、ここで動作データが交換され得る。
【００２３】
[0034]  いくつかの実施形態では、ＵＥ１１５およびＢＳ１０５は、複数のネットワークオペレータまたはネットワークオペレーティングエンティティによって動作され得、そして共有無線周波数スペクトルにおいて動作し得、それはライセンスまたはアンライセンス周波数バンドを含み得る。共有スペクトルは、調整された通信を容易にするために、複数のネットワークオペレーティングエンティティの間での共有のために時間的に区分され得る。例えば、ネットワーク１００では、ＢＳ１０５ａおよびＵＥ１１５ａは、１つのネットワークオペレーティングエンティティに関連し得、一方でＢＳ１０５ｂおよびＵＥ１１５ｂは、別のネットワークオペレーティングエンティティに関連し得る。ネットワークオペレーティングエンティティに従って共有スペクトルを時間的に区分することによって、ＢＳ１０５ａとＵＥ１１５ａとの間の通信、およびＢＳ１０５ｂとＵＥ１１５ｂとの間の通信は、各々それぞれの時間期間の間に起こり得、指定された共有スペクトルの全体を利用し得る。
【００２４】
[0035]  一実施形態では、ネットワーク１００は、異なるＲＡＴ技術を用いて複数のネットワークをサポートし得る。例えば、ネットワーク１００は、最初はＬＴＥネットワークとして展開され、続いてより低いレイテンシ、より広いバンド幅、および／またはより高いスループット等の改善されたネットワーク機能性を提供するために、ＮＲのようなアドバンストなＲＡＴ技術を追加し得る。ＬＴＥネットワーク内でＮＲネットワークを展開するためのメカニズムがここでより詳細に説明される。
【００２５】
[0036]  図２は、本開示の実施形態によるネットワークシステム２００を例示する。システム２００は、ネットワーク１００の一部に対応し得、デュアル接続性を有するＬＴＥ−ＮＲのタイトな相互作用アーキテクチャを含む。ＮＲネットワークはユビキタスなカバレッジを有さず、セル半径が小さいので、それは不安定であり得る。この問題を克服するために、ＵＥ１１５がＬＴＥネットワークおよびＮＲネットワークの両方に接続することが望ましい可能性がある。一実施形態では、ＮＲネットワークは、ＬＴＥネットワーク上にオーバーレイされ得る。ＵＥ２０２は、デュアル接続性をサポートし、それはＵＥ２０２がＬＴＥおよびＮＲネットワークの両方に同時に接続することを可能にする。ＵＥ２０２は、ＮＲネットワークへのＵＥ２０２の接続性をサポートするためにＬＴＥネットワークを利用する非スタンドアロンモードをサポートする。ＵＥ２０２がＮＲネットワークに接続されている場合、ＵＥ２０２はまたＬＴＥネットワークにも接続されている。ＮＲネットワークは、ＬＴＥネットワーク内にアンカーされる「ベストエフォート」ネットワークであり得る。例えば、ＵＥ２０２がＮＲネットワークカバレッジ内にある場合、ＵＥ２０２は、データを送信するためにＮＲネットワークを使用することになる。この例では、ＵＥ２０２は、ＬＴＥネットワークによって提供される安定したリンクを活用しつつも、ＮＲネットワークによって提供されるより低いレイテンシ、より広いバンド幅、および／またはより高いスループットを利用する。ＮＲネットワークへの接続が安定しないかまたは弱い場合、ＵＥ２０２は、ＮＲネットワークに接続することなくＬＴＥネットワークに接続し得る。
【００２６】
[0037]  ＵＥ２０２は、発展型パケットコア（ＥＰＣ）２０４を使用してデータを送信し得、それはＬＴＥシステムのコアネットワークである。ＥＰＣ２０４は、モビリティ管理エンティティ（ＭＭＥ）２０５およびＰ／ＳＧＷ２０７を含む。データトラフィックは、分割され得る。例えば、ＵＥ２０２は、ｅＮＢ２０８にＬＴＥ無線リンク制御（ＲＬＣ）／媒体アクセス制御（ＭＡＣ）２０６を送信し得、ｇＮＢ２１４にＮＲ  ＲＬＣ／ＭＡＣ２１０およびＬＴＥ／ＮＲパケットデータコンバージェンスプロトコル（ＰＤＣＰ）２１２を送信し得る。分割ベアラは、ｇＮＢ２１４に位置し得、ｅＮＢ２０８へ送られるデータは、ｇＮＢ２１４において他のデータとマージされることになる。ｇＮＢ２１４は、データをアグリゲートし得、Ｓ１−Ｕインタフェースを使用してそれをＰ／ＳＧＷ２０７に送り得る。さらに、シグナリング情報は、Ｓ１−ＭＭＥインタフェースを使用してｅＮＢ２０８を通してＭＭＥ２０５に渡り得る。図２は、ＬＴＥ−ＮＲ／ＥＰＣシステムを例示するが、これは限定することを意図したものではなく、他の実施形態は異なるシステムを含み得る。例えば、別の実施形態では、システムはＬＴＥ−ＮＲ／ＮＧＣシステムを含み得る。
【００２７】
[0038]  いくつかの実施形態では、ＵＥ２０２は、複数の状態のうちの最大でも１つの状態にあり得る。ＵＥ２０２が第１のネットワーク（例えば、ＮＲネットワーク、５Ｇネットワーク等）および第２のネットワーク（例えば、ＬＴＥネットワーク、４Ｇネットワーク等）に同時に接続されている場合、ＵＥ２０２は、第１の接続モードにある。この例では、ＵＥ２０２は、ＮＲネットワークとＬＴＥネットワークとの両方に接続され得る。ＬＴＥネットワークはＬＴＥセルに関連し得、ＮＲネットワークはＮＲセルに関連し得る。ＵＥ２０２が第２のネットワークに接続されているが第１のネットワークには接続されていない場合、ＵＥ２０２は、第２の接続モードにある。この例では、ＵＥ２０２は、ＬＴＥネットワークに接続されているがＮＲネットワークには接続されていない可能性がある。ＵＥ２０２がアイドルである場合、ＵＥ２０２は、第２のネットワークに接続されているが第１のネットワークには接続されていないアイドルモードにある。この例では、ＵＥ２０２は、ＬＴＥネットワークにおいてキャンプされ得る。ＵＥ２０２は、ＵＥ２０２が送信すべきデータを有しないか、または別のデバイスからデータを受信していない場合、アイドルモードにあり得る。
【００２８】
[0039]  しかしながら、ＵＥ２０２が第２の接続モードまたはアイドルモードにある場合、ＵＥ２０２は、ＮＲ信号強度情報を受信することができるか、またはＮＲネットワークによるカバレッジ内にＵＥ２０２があるかどうか知ることができない可能性がある。例えば、ＵＥ２０２がアイドルモードにある場合、ＵＥ２０２は、ＮＲネットワークではなくＬＴＥネットワークをモニタする。したがって、ＵＥ２０２は、ＵＥ２０２がＮＲネットワークに接続されていることを示すアイコン（例えば、５Ｇアイコンのカバレッジバー）を、ＵＥ２０２に結合されたディスプレイスクリーン上に表示することができない。アイコンは、５Ｇネットワーク／ＮＲネットワークに関連するモバイルネットワーク信号強度インジケータを含む。
【００２９】
[0040]  ＮＲネットワークが動作する周波数をＵＥ２０２が知っている場合、ＵＥ２０２は、ＵＥ２０２がＮＲネットワークによるカバレッジ内にあるかどうか決定することが可能であり得る。ＵＥ２０２がその周波数を知っている場合、ＵＥ２０２は、この周波数に同調（tune to）し得、データを送信し得る。
【００３０】
[0041]  図３は、本開示の実施形態による例示的なＵＥ３００のブロック図である。ＵＥ３００は、上述したようなＵＥ１１５、２０２であり得る。示されるように、ＵＥ３００は、プロセッサ３０２、メモリ３０４、ユーザインタフェース（ＵＩ）３０８、受信機３１１とモデムサブシステム３１２と無線周波数（ＲＦ）ユニット３１４とを含むトランシーバ３１０、および１つまたは複数のアンテナ３１６を含み得る。これらの要素は、例えば、１つまたは複数のバスを介して互いに直接または間接的に通信している状態であり得る。
【００３１】
[0042]  プロセッサ３０２は、セントラルプロセシングユニット（ＣＰＵ）、デジタルシグナルプロセッサ（ＤＳＰ）、特定用途向け集積回路（ＡＳＩＣ）、コントローラ、フィールドプログラマブルゲートアレイ（ＦＰＧＡ）デバイス、別のハードウェアデバイス、ファームウェアデバイス、またはここに説明される動作を実施するように構成されるそれらの任意の組合せを含み得る。プロセッサ３０２はまた、コンピューティングデバイスの組合せ、例えば、ＤＳＰとマイクロプロセッサとの組合せ、複数のマイクロプロセッサ、ＤＳＰコアと連結した１つまたは複数のマイクロプロセッサ、または任意の他のそのような構成としてもインプリメントされ得る。
【００３２】
[0043]  メモリ３０４は、キャッシュメモリ（例えば、プロセッサ３０２のキャッシュメモリ）、ランダムアクセスメモリ（ＲＡＭ）、磁気抵抗ＲＡＭ（ＭＲＡＭ）、読み出し専用メモリ（ＲＯＭ）、プログラマブル読み出し専用メモリ（ＰＲＯＭ）、消去可能なプログラマブル読み取り専用メモリ（ＥＰＲＯＭ）、電気的に消去可能なプログラマブル読み取り専用メモリ（ＥＥＰＲＯＭ（登録商標））、フラッシュメモリ、ソリッドステートメモリデバイス、ハードディスクドライブ、他の形態の揮発性および不揮発性メモリ、または異なる複数のタイプのメモリの組合せを含み得る。一実施形態では、メモリ４０４は、非一時的なコンピュータ読み取り可能な媒体を含む。メモリ３０４は、命令３０６を記憶し得る。命令３０６は、プロセッサ３０２によって実行されると、プロセッサ３０２に、本開示の実施形態に関連してＵＥ１１５、２０２を参照してここに説明される動作を実施させる命令を含み得る。命令３０６はまた、コードとも呼ばれ得る。「命令」および「コード」という用語は、いかなるタイプのコンピュータ読み取り可能なステートメント（１つまたは複数）も含むように広く解釈されるべきである。例えば、「命令」および「コード」という用語は、１つまたは複数のプログラム、ルーチン、サブルーチン、関数、プロシージャ等を指し得る。「命令」および「コード」は、単一のコンピュータ読み取り可能なステートメントまたは多くのコンピュータ読み取り可能なステートメントを含み得る。
【００３３】
[0044]  示されるように、トランシーバ３１０は、受信機３１１と、モデムサブシステム３１２と、ＲＦユニット３１４とを含み得る。トランシーバ３１０は、ＢＳ１０５のような他のデバイスと双方向に通信するように構成されることができる。ＵＥ２０２は、ＬＴＥネットワークおよびＮＲネットワークとのデュアル接続性をサポートする。モデムサブシステム３１２は、変調およびコーディングスキーム（ＭＣＳ）、例えば、低密度パリティチェック（ＬＤＰＣ）コーディングスキーム、ターボコーディングスキーム、畳み込みコーディングスキーム、デジタルビームフォーミングスキーム等に従って、メモリ３０４からのデータを変調および／または符号化するように構成され得る。ＲＦユニット３１４は、ＵＥ１１５またはＢＳ１０５のような別のソースから生じた送信の、または（出ていく送信における）モデムサブシステム３１２からの変調された／符号化されたデータを処理する（例えば、アナログからデジタルへの変換またはデジタルからアナログへの変換等を実施する）ように構成され得る。ＲＦユニット３１４は、デジタルビームフォーミングと併せてアナログビームフォーミングを実施するようにさらに構成され得る。トランシーバ３１０において統合されているように示されているが、受信機３１１、モデムサブシステム３１２、および／またはＲＦユニット３１４は、ＵＥ３００が他のデバイスと通信することを可能にするためにＵＥ３００において連結される別々のデバイスであり得る。
【００３４】
[0045]  ＲＦユニット３１４は、１つまたは複数の他のデバイスへの送信のために、アンテナ３１６に、変調および／または処理されたデータ、例えば、データパケット（またはより一般的には、１つまたは複数のデータパケットおよび他の情報を包含し得るデータメッセージ）を提供し得る。これは、例えば、本開示の実施形態によるＣＱＩ報告および／またはＳＲＳの送信を含み得る。アンテナ３１６はさらに、他のデバイスから送信されたデータメッセージを受信し得る。アンテナ３１６は、受信されたデータメッセージを、トランシーバ３１０における処理および／または復調のために提供し得る。アンテナ３１６は、複数の送信リンクを持続するために、同様のまたは異なる設計のマルチプルなアンテナを含み得る。ＲＦユニット３１４は、アンテナ３１６を構成し得る。
【００３５】
[0046]  受信機３１１は、第１のネットワーク（例えば、４ＧネットワークまたはＬＴＥネットワーク）に関連する別のデバイスから、ＵＥ２０２が第２のネットワーク（例えば、５ＧネットワークまたはＮＲネットワーク）によるカバレッジ内にあるかどうかに関する情報３１５を取得する。他のデバイスは、第１のネットワークをサポートするセル（例えば、ＬＴＥセル）を含み得る。ＵＩ３０８は、情報３１５に少なくとも部分的に基づいて、ＵＩ３０８がＮＲネットワークによるカバレッジ内にあるかどうか決定し得る。ＵＩ３０８は、情報３１５に少なくとも部分的に基づいて、ＵＥ２０２がＮＲネットワークに接続されていることを示すアイコンを表示するかどうか決定する。アイコンを表示するという決定に応答して、ＵＥ２０２は、ＵＥ２０２に結合されたディスプレイ上にアイコンを表示する。
【００３６】
[0047]  図４は、本開示の実施形態によるコールフロー４００を例示する。図４に例示される例では、ＬＴＥセル４０４は、ＵＥ４０２がＮＲネットワークによるカバレッジ内にあるかどうかのインジケーションを有するシステム情報ブロック（ＳＩＢ）４０８（例えば、ＳＩＢ１、ＳＩＢ２またはＥＮＤＣインジケーションビット）を送信し、それはＮＲセル４０６によってサポートされ得る。ＳＩＢ４０８は、ＵＥ２０２がＮＲネットワークによるカバレッジ内にあるかどうか示すビットを含み得る。ＬＴＥセル４０４は、ＳＩＢをブロードキャストし得る。図３を参照すると、受信機３１１は、ＵＥ２０２がＮＲネットワークによるカバレッジ内にあるかどうかのインジケーションを有するＳＩＢ４０８を受信することによって、情報３１５を取得し得る。
【００３７】
[0048]  ＳＩＢ４０８は、ＵＥ２０２がＮＲネットワークによるカバレッジ内にあるかどうか示すインジケーションビットを含む。ＵＥ２０２がＮＲネットワークによるカバレッジ内にあることをインジケーションビットが示す場合、受信機３１１は、この情報を伴ったカバレッジ／信号強度４１０をＵＩ３０８へと渡し得、それはカバレッジ／信号強度４１０に基づいて、カバレッジの５Ｇアイコンを表示し得る。ＵＥ２０２がＮＲネットワークによるカバレッジ内にないとインジケーションビットが示す場合、受信機３１１は、この情報を伴ったカバレッジ／信号強度４１０をＵＩ３０８へと渡し得、それはＮＲネットワークによるカバレッジを報告しないことになる。受信機３１１は、ＵＥ２０２が実際にＮＲネットワークによるカバレッジ内にあるかどうかに関わらず、これらのＳＩＢを取得し得る。ＵＥ４０２は、適切な場合には、ＬＴＥネットワークおよびＮＲネットワークに接続し得る。
【００３８】
[0049]  図５は、本開示の実施形態によるコールフロー５００を例示する。図５に例示される例では、ＬＴＥセル５０４は、ＮＲ周波数リストを含むＳＩＢを送信する。ＮＲ周波数リストは、ＮＲネットワークが動作する１つまたは複数のＮＲ周波数を含む。ＳＩＢは、ＮＲ周波数リストを含み得る。既存のＳＩＢまたは新しいＳＩＢ（例えば、ＳＩＢ２２）の新しいパラメータは、周波数リストを含み得る。さらに、ＮＲセル５０６は、同期信号（ＳＳ）ブロックおよびＣＳＩ−ＲＳを送信する。さらに、新しいＳＩＢまたは既存のＳＩＢにおける新しいパラメータは、例えば、サブキャリアスペーシング、ＳＳブロックを送信するための時間スケジュール、複数のＳＳブロックを有するＳＳバーストセットを送信するための周期性、ＳＳバーストセットあたりのＳＳブロックの数等のＳＳブロック構成の追加的な情報を含み得る。さらに、新しいＳＩＢまたは既存のＳＩＢにおける新しいパラメータは、例えば、ＣＳＩ−ＲＳを送信するための時間スケジュール等のＣＳＩ−ＲＳの追加的な情報を含み得る。図３を参照すると、受信機３１１は、ＬＴＥセル５０４から周波数リストを含むＳＩＢを受信すること、およびＮＲセル５０６からＳＳブロックおよびＣＳＩ−ＲＳを受信することによって、情報３１５を取得し得る。ＮＲセル５０６は、ＮＲネットワークをサポートする。さらに、ＵＥ５０２は、（例えば、ＬＴＥネットワークおよびＮＲネットワークの両方に接続されているか、またはＬＴＥネットワークのみに接続されている）接続モードのうちのいずれか、またはアイドルモードにあり得る。
【００３９】
[0050]  ＵＥ５０２は、ＵＥ５０２がＮＲネットワークによるカバレッジ内にあるかどうか決定するための多様な技法を使用し得る。いくつかの実施形態では、ＵＥ５０２がＬＴＥネットワークおよびＮＲネットワークの両方に接続されている場合、ＵＥ５０２は、ＮＲをアクティブに受信し、ＵＥ５０２は、ＣＳＩおよび無線リンクモニタリング（ＲＬＭ）を報告する。ＵＥ５０２は、５Ｇアイコンを表示するためにこれらの測定値を活用する。
【００４０】
[0051]  いくつかの実施形態では、ＵＥ５０２がＬＴＥネットワークに接続されているがＮＲネットワークには接続されていない場合、ＵＥ５０２は、デュアル接続性付加（dual connectivity addition）のためにＮＲを測定し得る。ＬＴＥセル５０４は、ＮＲネットワークの周波数リストを含み且つＵＥ５０２が測定するＮＲ測定対象を、構成する。ＵＥ５０２は、５Ｇアイコンを表示するために測定結果を活用することができる。一例では、ＵＥ５０２は、周波数リスト中にリストされた周波数の各々内でＳＳブロックを探索するために周波数リストを使用する。ＳＳブロックは、特定の周波数についてのＮＲ−ＰＳＳ、ＮＲ−ＳＳＳ、およびＮＲ−ＰＢＣＨを含む。ＮＲ−ＰＳＳは、シンボルタイミングおよびセクタアイデンティティを識別するために使用され得る。ＮＲ−ＳＳＳは、セルアイデンティティを識別するために使用され得る。ＮＲ−ＰＢＣＨは、ＳＳバーストセット内の現在のＳＳブロックインデックスおよびＳＦＮを示すために使用され得る。さらに、ＰＢＣＨは、（例えば、１００ＭＨｚ等の）周波数チャネルのＮＲバンド幅をシグナリングするためのパラメータを有する。
【００４１】
[0052]  周波数リスト中にリストされた１つまたは複数の周波数について、ＵＥ５０２は、それぞれの周波数に関連するＮＲ−ＰＲＲ、ＮＲ−ＳＳＳ、およびＮＲ−ＰＢＣＨを含むＳＳブロックをＮＲセル５０６から受信する。ＵＥ５０２は、ＮＲ−ＰＳＳおよびＮＲ−ＳＳＳの信号強度を測定し、信号強度がしきい値を満たすかどうか決定する。信号強度がしきい値を満たすという決定に応答して、ＵＥ５０２は、５Ｇアイコンを表示することを決定する。その結果、ＵＩ３０８はアイコンを表示する。信号強度がしきい値を満たさないという決定に応答して、ＵＥ５０２は、５Ｇアイコンを表示しないことを決定する。その結果、ＵＩ３０８は、ディスプレイ上でＮＲネットワークによるカバレッジを報告しない。ＵＩ３０８は、ディスプレイ上に５Ｇアイコンを表示しないことによって、ＮＲネットワークによるカバレッジを報告しない可能性がある。ＬＴＥセル５０４がＮＲ周波数リストを含む新しいＳＩＢをブロードキャストするが、ＮＲ測定対象が存在しない場合、ＵＥ５０２は、適切な場合には、ＮＲを測定するおよび５Ｇアイコンを表示するためにＳＩＢ中の情報を使用し得る。しかしながら、ＳＩＢがＮＲ周波数リストを含まず、またＮＲ測定対象も存在しない場合、ＵＥ５０２は、ＮＲネットワークによるカバレッジを報告しない可能性がある。
【００４２】
[0053]  いくつかの実施形態では、ＮＲ−ＳＳＳおよびＮＲ−ＰＳＳによるセルアイデンティティおよびＮＲ−ＰＳＳからのシンボル境界をＵＥ５０２が決定する場合、ＵＥ５０２は、ＮＲ−ＳＳＳおよびＮＲ−ＰＳＳの信号強度を測定し得る。信号強度がしきい値よりも大きい場合、ＵＥ５０２は、ＵＥ５０２がＮＲネットワークによるカバレッジ内にあると決定し得、よってＵＩ３０８は、ＵＥ５０２に結合されたディスプレイ上に５Ｇアイコンを表示し得る。そうでない場合、ＵＥ５０２は、ＵＥ５０２がＮＲネットワークによるカバレッジ内にないと決定し得、その結果ディスプレイ上でＮＲネットワークによるカバレッジを報告しない。
【００４３】
[0054]  いくつかの実施形態では、周波数リスト中にリストされた１つまたは複数の周波数について、ＵＥ５０２は、それぞれの周波数に関連するＮＲ−ＰＳＳ、ＮＲ−ＳＳＳ、およびＮＲ−ＰＢＣＨ（物理ブロードキャストチャネル）を含むＳＳブロックをＮＲセル５０６から受信する。ＵＥ５０２は、ＳＳブロックに関連する周波数チャネルのＮＲバンド幅およびシステムフレーム番号情報を決定し、ＵＥ５０２がＮＲネットワークによるカバレッジ内にあるかどうか決定するために、システムフレーム番号情報およびＮＲバンド幅に基づいて、ＣＳＩ−ＲＳ（チャネル状態情報基準信号）を測定する。ＵＥ５０２は、周波数チャネルのＮＲバンド幅およびシステムフレーム番号情報を決定するためにＮＲ−ＰＢＣＨを獲得する。ＵＥ５０２がＮＲ−ＰＳＳおよびＮＲ−ＳＳＳを獲得した後に、ＵＥ５０２は、ＵＥ５０２がＮＲネットワークによるカバレッジ内にあるかどうか決定するために、ＣＳＩ−ＲＳを測定する。
【００４４】
[0055]  いくつかの実施形態では、ＵＥ５０２がアイドルモードにあり、ＬＴＥセル５０４がＮＲ周波数リストを含む新しいＳＩＢをブロードキャストする場合、ＵＥ５０２は、適切な場合には、ＮＲを測定し５Ｇアイコンを表示し得る。ＵＥ５０２がアイドルモードにありＳＩＢに含まれる周波数リストが存在しない場合には、ＵＥ５０２は、ＮＲネットワークによるカバレッジを報告しない可能性がある。ＮＲのＬＴＥ  ＳＩＢは、ＬＴＥから５Ｇへのセル再選択等のさらなるパラメータを含み得る。非スタンドアロンモードのＵＥについては、ＵＥは、５Ｇアイコンにおいて５Ｇバーを表示するかどうか決定するために、ＳＩＢとは異なるパラメータを使用し得る。代替的に、既存のＳＩＢ、例えばＳＩＢ５は、近隣のＮＲ周波数をシグナリングし得る。
【００４５】
[0056]  図６は、本開示の実施形態による、高速デュアル接続性セットアップのためのコールフロー６００を例示する。図６に例示される例では、ＵＥ６０２は、アイドルモードにある。ＬＴＥセル６０４は、周波数リストを含むＳＩＢを送信する。ＮＲセル６０６は、ＳＳブロックおよびＣＳＩ−ＲＳを送信する。ＵＥ６０２は、ＬＴＥセル６０４からＳＩＢを受信し、ＮＲセル６０６からＳＳブロックおよびＣＳＩ−ＲＳを受信する。
【００４６】
[0057]  ＵＥ６０２がデータを送信または受信することを望む場合、ＵＥ６０２は、ＲＲＣ接続をセットアップし得る。ＵＥ６０２は、ＬＴＥセル６０４にＮＲ測定結果を送り得る。ＵＥ６０２は、前もって測定値を準備し、接続セットアップ情報をＬＴＥセル６０４に送り得る。ＬＴＥセル６０４は、ＮＲネットワークに関連する強い信号強度をＵＥ６０２が有することを決定し得る。ＲＲＣ接続セットアップの間、ＬＴＥセル６０４は、デュアル接続性モードにあるようにＵＥ６０２を構成し得る。ＵＥ６０２がデュアル接続性モードに入った後に、ＵＥ６０２は、ＬＴＥネットワークおよびＮＲネットワークの両方からデータを送信および受信し得る。この特徴の利点は、５Ｇアイコンに関連する正確なバーの表示を可能にし得る。さらに、これは、将来の５ＧスタンドアロンモードのＬＴＥからＮＲへの再選択を可能にし得る。
【００４７】
[0058]  いくつかの実施形態において、および図３を参照すると、受信機３１１は、ＬＴＥセルによって構成される測定対象を受信することによって、情報３１５を取得し得る。測定対象は、ＮＲネットワークが動作する周波数であって且つ周波数チャネルのバンド幅を提供する周波数を指定する周波数リストを含み得る。ＵＥは、ＵＳがＮＲネットワークによるカバレッジ内にあるかどうか決定するために、測定対象に従った１つまたは複数の周波数を探索し、１つまたは複数の周波数を測定し得る。一例では、測定対象はＮＲ測定対象であり、周波数リストは、ＮＲネットワークが動作する周波数を指定する。ＵＥが周波数チャネルのバンド幅および測定対象を受信する場合、ＵＥは、どこを探索すべきかをより容易に知り得、ＮＲセルの信号を測定し得る。
【００４８】
[0059]  ＵＥがデュアル接続性モードにあり、ＬＴＥネットワークおよびＮＲネットワークの両方に接続されている場合、図５に関する説明が適用され得る。ＵＥがＬＴＥネットワークに接続されているがＮＲネットワークには接続されていない場合、ＵＥは、ＮＲを探索および測定するために、測定対象（例えば、ＮＲ測定対象）を使用し得る。ＬＴＥセルは、測定対象を構成し得る。ＵＥが前にＬＴＥセルに接続されていた場合、ＵＥは、既にＬＴＥセルから測定対象を受信しており、測定対象をキャッシュしている可能性がある。いくつかの例では、ＵＥは、このキャッシュされた測定対象を取り出し得る。ＵＥが、このＬＴＥセルまたはトラッキングエリアについて測定対象を受信しない、またはキャッシュされた測定対象を有しない場合には、ＵＥは、ＮＲについての探索を実施しない。この例では、ＵＩは、ディスプレイ上でＮＲネットワークによるカバレッジを報告しない。
【００４９】
[0060]  ＵＥがアイドルモードにある場合、ＵＥは、ＬＴＥセルまたはＴＡＩ（トラッキングエリア）ごとに、ＵＥが接続モードにあったときからの測定対象をキャッシュし続ける。ＵＥは、ＮＲを探索および測定し、５Ｇアイコンを表示するために、現在のキャンプされたセルのＮＲ近隣カバレッジを知るために、ＬＴＥセルまたはＴＡＩごとにキャッシュされた測定対象を使用し得る。
【００５０】
[0061]  ＵＥに最適化機会を提供することは有利であり得る。例えば、いくつかの実施形態において、および図３を参照すると、受信機３１１は、情報３１５を、その情報を記憶する取得データベース（示されていない）からそれを取り出すことによって、取得し得る。取得データベースは、ＮＲネットワークがそれ内で動作する周波数（例えば、ＮＲ周波数）を含む情報を記憶し得る。ＵＥは、ＵＥがアイドルモードにある間、ＮＲセルカバレッジを決定するために取得データベースを使用し得る。
【００５１】
[0062]  さらに、ＲＲＣ接続（図６参照）のリリースの前に、ＵＥは、ＮＲネットワークに関するいくつかの周波数情報を有する。デュアル接続性でのＲＲＣ接続のリリースの後に、ＵＥは、ＬＴＥネットワークまたはＮＲネットワークに接続されていない可能性がある。ＵＥは、しばらくの間カバレッジインジケーションまたは測定のためにＮＲ周波数を使用し続け得るが、それはその特定の周波数がしばらくの間依然として適用可能であり得るからである。
【００５２】
[0063]  また、電力を節約するため、ＵＥは、ＮＲの探索および測定をどのくらいの頻度で実施すべきかを決定するために、データアクティビティ、加速度計／ジャイロセンサステータス、またはディスプレイオン／オフを使用し得る。低データアクティビティと、低モビリティと、ディスプレイオフのオプションの提供とは、ＮＲを探索または測定する頻度を下げ得、よって電力を節約する。
【００５３】
[0064]  いくつかの例では、ＵＥはＮＲネットワークに接続し得るが、他の要因が、ＵＥがそうすることを可能にすることに逆らい（advocate against）得る。例えば、ＵＥがネットワークに接続されていることを示すアイコンを表示するかどうかの決定は、ＵＥがネットワークへのサブスクリプションを有するかどうかＵＥが決定することを含み得る。ＵＥがネットワーク（例えば、ＮＲネットワーク）へのサブスクリプションを有しない場合、ＵＥがアイコン（例えば、５Ｇアイコン）を表示することを可能にしないことが望ましい可能性がある。図７は、本開示の実施形態によるコールフロー７００を例示する。ＬＴＥセル７０４は、周波数リストを含むＳＩＢを送信し得、ＮＲセル７０６は、ＳＳブロックおよびＣＳＩ−ＲＳを送信し得る。ＵＥ７０２は、ＵＥ７０２がＮＲネットワークへのサブスクリプションを有するかどうか決定する。ＵＥ７０２がＮＲネットワークへのサブスクリプションを有しないという決定に応答して、ＵＩ７０２は、ＵＥ７０２がＮＲネットワークによるカバレッジ内にないことをディスプレイ上で報告する。ＵＥ７０２は、ＵＥ７０２がＮＲネットワークへのサブスクリプションを有するかどうか示すユニバーサル集積回路カード（ＵＩＣＣ）を含み得る。
【００５４】
[0065]  別の例では、５Ｇアイコンを表示するかどうかの決定は、ＵＥがＮＲネットワークへの接続を制限されるかどうかＵＥが決定することを含み得る。図８は、本開示の実施形態によるコールフロー８００を例示する。様々な理由から、ＵＥ８０２がディスプレイ上に５Ｇアイコンを表示しないことが望ましい可能性がある。例えば、ＵＥは、ＶＰＬＭＮ（Visited Public Land Mobile Network）（すなわち、ローミングネットワーク）にあり得、ＵＥは、ＶＰＬＭＮにある間ＮＲネットワークへの接続を制限される。別の例では、ＵＥは、ローディングの問題ゆえに、あるいはＭＭＥまたはＡＭＦが５ＧＲＡＮをサポートしないがゆえに、ＵＥがＮＲネットワークに接続することを制限するＡＭＦまたはＭＭＥの下にあり得る。図８では、ＵＥは、ＡＴＴＡＣＨ  ＡＣＣＥＰＴまたはＴＲＡＣＫＩＮＧ  ＡＲＥＡ  ＵＰＤＡＴＥ  ＡＣＣＥＰＴまたはＲＥＳＴＲＩＣＴＩＯＮ  ＡＣＣＥＰＴメッセージからのインジケーションを受信し得る。一例では、インジケーションは、インジケーションビット、ＲｅｓｔｒｉｃｔＤＣＮＲである。ＡＴＴＡＣＨ／ＴＡＵ／ＲＥＧがこのＰＬＭＮまたはトラッキングエリア（または登録エリア）についての５Ｇ制限を示す場合には、ＵＥは、５Ｇアイコンを示すべきではない。代替的に、そのようなモビリティ制限は、ＡＴＴＡＣＨ、ＴＡＵ、またはＲＥＧプロシージャが実施される間、ＬＴＥセルからのＲＲＣ接続セットアップによってシグナリングされることができる。ＮＲネットワークがＮＲネットワークへの接続を制限されているという決定に応答して、ＵＩは、ディスプレイ上でＮＲネットワークによるカバレッジを報告しない。
【００５５】
[0066]  別の例では、５Ｇアイコンを表示するかどうかの決定は、ＵＥがＮＲネットワークによるカバレッジ内にあるかどうかに関する情報をＵＥに提供したデバイス（例えば、ＬＴＥセル）が、デュアル接続性をサポートするかどうかＵＥが決定することを含み得る。図９は、本開示の実施形態によるコールフロー９００を例示する。ＵＥは、デュアル接続性をサポートし得るが、ＬＴＥセルそれ自体は、デュアル接続性をサポートしない可能性がある。デュアル接続性を可能にするために、ＬＴＥセルは、典型的には、ＮＲセルとインタフェースし、それと通信し、ＬＴＥセルがこの機能性を有しないことが可能である。図９では、ＬＴＥセル９０４は、ＬＴＥセルがデュアル接続性（例えば、ＬＴＥ−ＮＲデュアル接続性能力）をサポートするかどうかのインジケーションを含むＳＩＢを送信し得る。一例では、既存のＳＩＢまたは新しいＳＩＢは、そのようなデュアル接続性がＬＴＥセルによってサポートされているかどうかのインジケーションと共にＮＲ周波数リストを含み得る。ＬＴＥセルがデュアル接続性をサポートする場合には、ＵＥ９０２は、ディスプレイ上に５Ｇアイコンを表示し得る。ＬＴＥセルがデュアル接続性をサポートしない場合には、ＵＥ９０２は、デュアル接続性モードにあることができず、ＬＴＥネットワークおよびＮＲネットワークの両方に接続することができない。この例では、ユーザは、彼女がＵＥのディスプレイ上に５Ｇアイコンを見たとしたら混乱し得る。デバイスがデュアル接続性をサポートしないという決定に応答して、ＵＥ９０２は、ＮＲネットワークによるカバレッジをディスプレイ上で報告しない。
【００５６】
[0067]  図１０は、本開示の実施形態によるコールフロー１０００を例示する。ＵＥ１００２がＮＲネットワークに接続されている場合、ＵＥはまた、ＬＴＥネットワークにも接続されている。ＬＴＥネットワークが、ＵＥがＬＴＥネットワークに接続されている間に無線リンク障害（ＲＬＦ）等の問題を有するか、またはＵＥがアイドルモードにある間にアウトオブサービス（ＯＯＳ）である場合、ＵＥ１００２は、ＮＲネットワークに接続することができない可能性がある。ＮＲネットワークは、ＵＥがデュアル接続性を有しＮＲネットワーク上でデータを送信することができる前に、ＲＲＣ接続をセットアップするために、ヘルシーなＬＴＥリンク（healthy LTE（登録商標） link）に頼る。
【００５７】
[0068]  一例では、５Ｇアイコンを表示するかどうかの決定は、ＵＥが接続モードにある（例えば、ＬＴＥネットワークおよびＮＲネットワークに接続されている、またはＬＴＥネットワークに接続されているがＮＲネットワークには接続されていない）間にＬＴＥネットワークがＲＬＦを含むかどうかＵＥ１００２が決定することを含み得る。ＬＴＥネットワークがＲＬＦを含むという決定に応答して、ＵＥ１００２は、ディスプレイ上でＮＲネットワークによるカバレッジを報告しない。別の例では、５Ｇアイコンを表示するかどうかの決定は、ＵＥがアイドルモードにある間にＬＴＥネットワークがＯＯＳであるかどうかＵＥ１００２が決定することを含み得る。ＬＴＥネットワークがＯＯＳであると検出することに応答して、ＵＥ１００２は、ディスプレイ上でＮＲネットワークによるカバレッジを報告しない。したがって、ＵＥが接続モードにある間にＬＴＥネットワークがＲＬＦを有すること、またはＵＥがアイドルモードにある間にＬＴＥネットワークがＯＯＳであることを、ＵＥ１００２が検出する場合には、ＵＥは、ＵＥがＮＲセルとのヘルシーなリンクを有している場合でも、５Ｇアイコンを表示しない。
【００５８】
[0069]  図１１は、本開示の実施形態による例示的なＢＳ１１００のブロック図である。ＢＳ１１００は、上述したようにＢＳ１０５であり得る。示されるように、ＢＳ１１００は、プロセッサ１１０２、メモリ１１０４、モデムサブシステム１１１２およびＲＦユニット１１１４を含むトランシーバ１１１０、および１つまたは複数のアンテナ１１１６を含み得る。これらの要素は、例えば、１つまたは複数のバスを介して互いに直接または間接的に通信している状態であり得る。
【００５９】
[0070]  プロセッサ１１０２は、特殊タイププロセッサとして様々な特徴を有し得る。例えば、これらは、ＣＰＵ、ＤＳＰ、ＡＳＩＣ、コントローラ、ＦＰＧＡデバイス、別のハードウェアデバイス、ファームウェアデバイス、またはここに説明される動作を実施するように構成されるそれらの任意の組合せを含み得る。プロセッサ１１０２はまた、コンピューティングデバイスの組合せ、例えば、ＤＳＰとマイクロプロセッサとの組合せ、複数のマイクロプロセッサ、ＤＳＰコアと連結した１つまたは複数のマイクロプロセッサ、または任意の他のそのような構成としてもインプリメントされ得る。
【００６０】
[0071]  メモリ１１０４は、キャッシュメモリ（例えば、プロセッサ１１０２のキャッシュメモリ）、ＲＡＭ、ＭＲＡＭ、ＲＯＭ、ＰＲＯＭ、ＥＰＲＯＭ、ＥＥＰＲＯＭ、フラッシュメモリ、ソリッドステートメモリデバイス、１つまたは複数のハードディスクドライブ、メモリスタベースのアレイ、他の形態の揮発性および不揮発性メモリ、または異なる複数のタイプのメモリの組合せを含み得る。いくつかの実施形態では、メモリ１１０４は、非一時的なコンピュータ読み取り可能な媒体を含み得る。メモリ１１０４は、命令１１０６を記憶し得る。命令１１０６は、プロセッサ１１０２によって実行されると、プロセッサ１１０２にここに説明される動作を実施させる命令を含み得る。命令１１０６はまた、コードとも呼ばれ得、それは、図１１に関して上述したようないかなるタイプのコンピュータ読み取り可能なステートメント（１つまたは複数）も含むように広く解釈され得る。
【００６１】
[0072]  示されるように、トランシーバ１１１０は、モデムサブシステム１１１２およびＲＦユニット１１１４を含み得る。トランシーバ１１１０は、ＵＥ１１５および／または別のコアネットワーク要素のような他のデバイスと双方向に通信するように構成されることができる。モデムサブシステム１１１２は、ＭＣＳ、例えば、ＬＤＰＣコーディングスキーム、ターボコーディングスキーム、畳み込みコーディングスキーム、デジタルビームフォーミングスキーム等に従って、データを変調および／または符号化するように構成され得る。ＲＦユニット１１１４は、ＵＥ１１５のような別のソースから生じた送信の、または（出ていく送信における）モデムサブシステム１１１２からの変調された／符号化されたデータを処理する（例えば、アナログからデジタルへの変換またはデジタルからアナログへの変換等を実施する）ように構成され得る。ＲＦユニット１１１４は、デジタルビームフォーミングと併せてアナログビームフォーミングを実施するようにさらに構成され得る。トランシーバ１１１０において統合されているように示されているが、モデムサブシステム１１１２およびＲＦユニット１１１４は、ＢＳ１０５が他のデバイスと通信することを可能にするためにＢＳ１０５において連結される別々のデバイスであり得る。
【００６２】
[0073]  ＲＦユニット１１１４は、１つまたは複数の他のデバイスへの送信のために、アンテナ１１１６に、変調および／または処理されたデータ、例えば、データパケット（またはより一般的には、１つまたは複数のデータパケットおよび他の情報を包含し得るデータメッセージ）を提供し得る。これは、例えば、本開示の実施形態によるネットワークへのアタッチメントを完了するための情報の送信、およびキャンプされたＵＥ１１５との通信を含み得る。アンテナ１１１６はさらに、他のデバイスから送信されたデータメッセージを受信し、トランシーバ１１１０における処理および／または復調のために受信されたデータメッセージを提供し得る。アンテナ１１１６は、複数の送信リンクを持続するために、同様のまたは異なる設計のマルチプルなアンテナを含み得る。
【００６３】
[0074]  図１２は、本開示の実施形態による、システム２００のようなネットワークシステムにおけるワイヤレス通信の方法１２００のフローダイアグラムである。方法１２００のステップは、ＵＥのようなワイヤレス通信デバイスのコンピューティングデバイス（例えば、プロセッサ、処理回路、および／または他の好適なコンポーネント）によって実行されることができる。例示されたように、方法１２００は、いくつかの列挙されたステップを含むが、方法１２００の実施形態は、それら列挙されたステップの前、後、およびそれらの間に、追加的なステップを含み得る。いくつかの実施形態では、列挙されたステップのうちの１つまたは複数は、省略され得るか、または異なる順序で実施され得る。
【００６４】
[0075]  ステップ１２１０において、方法１２００は、第１のワイヤレス通信デバイス（例えば、ＵＥ）によって、第２のネットワーク（例えば、ＬＴＥネットワーク）に関連する第２のデバイス（例えば、ＬＴＥセル、取得データベース等）から、第１のワイヤレス通信デバイスが第１のネットワーク（例えば、ＮＲネットワーク）によるカバレッジ内にあるかどうかに関する情報を取得することを含み、第１のワイヤレス通信デバイスは、第１のネットワークおよび第２のネットワークとのデュアル接続性をサポートする。
【００６５】
[0076]  ステップ１２２０において、方法１２００は、情報に少なくとも部分的に基づいて、第１のワイヤレス通信デバイスが第１のネットワークに接続されていることを示すアイコン（例えば、５Ｇアイコン）を表示するかどうか決定することを含む。
【００６６】
[0077]  ステップ１２３０において、方法１２００は、アイコンを表示するという決定に応答して、第１のワイヤレス通信デバイスによって、第１のワイヤレス通信デバイスに結合されたディスプレイ上にアイコンを表示することを含む。
【００６７】
[0078]  情報および信号は、多様な異なる技術および技法のうちのいずれを使用しても表され得る。例えば、上の説明を通して言及された可能性のあるデータ、命令、コマンド、情報、信号、ビット、シンボルおよびチップは、電圧、電流、電磁波、磁場または磁性粒子、光場または光粒子、あるいはそれらのいかなる組合せによっても表され得る。
【００６８】
[0079]  本明細書における開示に関連して説明された様々な例示的なブロックおよびモジュールは、汎用プロセッサ、ＤＳＰ、ＡＳＩＣ、ＦＰＧＡまたは他のプログラマブル論理デバイス、ディスクリートゲートまたはトランジスタ論理、ディスクリートハードウェアコンポーネント、あるいはここに説明された機能を実施するように設計されたそれらの任意の組合せを用いてインプリメントまたは実施され得る。汎用プロセッサは、マイクロプロセッサであり得るが、別の方法では、プロセッサはいかなる従来のプロセッサ、コントローラ、マイクロコントローラ、またはステートマシンでもあり得る。プロセッサはまた、コンピューティングデバイスの組合せ（例えば、ＤＳＰとマイクロプロセッサとの組合せ、複数のマイクロプロセッサ、ＤＳＰコアと連携した１つまたは複数のマイクロプロセッサ、または任意の他のそのような構成）としてインプリメントされ得る。
【００６９】
[0080]  ここで説明された機能は、ハードウェア、プロセッサによって実行されるソフトウェア、ファームウェア、またはそれらの任意の組合せでインプリメントされ得る。プロセッサによって実行されるソフトウェアでインプリメントされる場合、それら機能は、コンピュータ読み取り可能な媒体上の１つまたは複数の命令またはコードとして記憶または送信され得る。他の例およびインプリメンテーションが、添付の特許請求の範囲および本開示の範囲内にある。例えば、ソフトウェアの性質に起因して、上述した機能は、プロセッサ、ハードウェア、ファームウェア、ハードワイヤリング、またはこれらのうちの任意のものの組合せによって実行されるソフトウェアを使用してインプリメントされることができる。機能をインプリメントする特徴はまた、機能の一部が異なる物理的ロケーションにおいてインプリメントされるように分配された状態を含む、様々な位置に物理的に配置され得る。また、請求項を含め、ここで使用される場合、項目のリスト（例えば、「のうちの少なくとも１つ」または「のうちの１つまたは複数」のような表現が付される項目のリスト）で使用される「または」は、例えば、［Ａ、ＢまたはＣのうちの少なくとも１つ］というリストが、ＡまたはＢまたはＣまたはＡＢまたはＡＣまたはＢＣまたはＡＢＣ（すなわち、ＡおよびＢおよびＣ）を意味するように、包括的なリスト（an inclusive list）を示す。
【００７０】
[0081]  これより当業者が認識することになるように、そして間近の特定の用途に応じて、多くの修正、置換え、およびバリエーションが、本開示のデバイスの素材、装置、構成、および使用方法において、およびそれらに対して、その精神および範囲から逸脱することなく、成されることができる。この点から、ここに例示および説明された特定の実施形態は本開示の単なるいくつかの例であるので、本開示の範囲はそれらの範囲に限定されるべきではなく、むしろ、以下に添付される特許請求の範囲およびそれらの機能的な同等物の適用範囲（the scope）全体に相応するべきである。
【図１】
2020521379.tif 000003
【図２】
2020521379.tif 000004
【図３】
2020521379.tif 000005
【図４】
2020521379.tif 000006
【図５】
2020521379.tif 000007
【図６】
2020521379.tif 000008
【図７】
2020521379.tif 000009
【図８】
2020521379.tif 000010
【図９】
2020521379.tif 000011
【図１０】
2020521379.tif 000012
【図１１】
2020521379.tif 000013
【図１２】
2020521379.tif 000014
【図１３】
2020521379.tif 000015
【図１４】
2020521379.tif 000016
【図１５】
2020521379.tif 000017
【図１６】
2020521379.tif 000018
【図１７】
2020521379.tif 000019
【国際調査報告】
2020521379.tif 000020
2020521379.tif 000021
2020521379.tif 000022